(57)【特許請求の範囲】
【請求項１】
吸気口側及び排気口側を有する少なくとも１のタービンと、
前記少なくとも１のタービンの前記吸気口側と動作可能に連結した少なくとも１の吸気口熱交換器と、
前記少なくとも１のタービンの前記排気口側と動作可能に連結した少なくとも１の排気口熱交換器とを有し、
前記少なくとも１の吸気口熱交換器は、前記少なくとも１のタービンの前記吸気口側に供給される吸気から熱を除去しかつそのような熱を作業流体を通して底ループに伝導するように設けられ、前記少なくとも１の排気口熱交換器は、前記少なくとも１のタービンによって生じた排気から熱を除去しかつそのような熱を作業流体を通して前記底ループに伝導するように設けられ、
前記底ループは、前記少なくとも１の吸気口熱交換器および前記少なくとも１の排気口熱交換器から伝導された熱を利用して適当に調整された作業流体を前記少なくとも１の吸気口熱交換器および前記少なくとも１の排気口熱交換器の両方に戻すように設けられているとともに、
前記作業流体はアンモニア、二酸化炭素、またはそれらの組み合わせを有するタービンの吸気温度調整システム。
【請求項２】
前記作業流体は二酸化炭素を有する請求項１に記載のシステム。
【請求項３】
前記作業流体は超臨界二酸化炭素を有する請求項２に記載のシステム。
【請求項４】
前記作業流体はアンモニアを有する請求項１に記載のシステム。
【請求項５】
前記作業流体は超臨界アンモニアを有する請求項４に記載のシステム。
【請求項６】
前記少なくとも１の吸気口熱交換器は、マイクロチャネル・テクノロジーを利用する請求項１に記載のシステム。
【請求項７】
前記少なくとも１の吸気口熱交換器は、１または２以上のプリント配線回路熱交換器コアを使用する請求項１に記載のシステム。
【請求項８】
前記少なくとも１の排気口熱交換器は、マイクロチャネル・テクノロジーを利用する請求項１に記載のシステム。
【請求項９】
前記少なくとも１の排気口熱交換器は１または２以上のプリント配線回路熱交換器コアを使用する請求項１に記載のシステム。
【請求項１０】
前記底ループは、前記少なくとも１の吸気口熱交換器と結合した前記少なくとも１のタービンの前記排気口側にある排熱を利用して、前記少なくとも１のタービンの前記吸気口側に供給される吸気の前記温度の下降をもたらすように設けられた請求項１に記載のシステム。
【請求項１１】
前記底ループは、
前記少なくとも１の排気口熱交換器からの帯熱作業流体を受けるように設けられた少なくとも１の第１の底ループ熱交換器と、
前記作業流体を通して動作可能に前記少なくとも１の第１の底ループ熱交換器と連結した少なくとも１の底ループ・コンプレッサとを有し、
前記少なくとも１の底ループ・コンプレッサは、冷却された作業流体を生み出すように前記帯熱作業流体を利用し、または、そこからの熱を採取するように設けられ、前記冷却された作業流体は、前記少なくとも１の吸気口熱交換器に提供されて、前記少なくとも１のタービンの前記吸気口側に供給された吸気の前記温度の下降に用いられる請求項１０に記載されたシステム。
【請求項１２】
前記底ループは、吸気を調整しかつ剰余の動力またはエネルギーを生み出すように伝導された熱を利用するように設けられた熱機関を有する請求項１に記載のシステム。
【請求項１３】
吸気口側及び排気口側を有する少なくとも１のタービンを提供し、
少なくとも１のタービンの前記吸気口側と動作可能に連結した少なくとも１の吸気口熱交換器を提供し、
前記少なくとも１のタービンの前記排気口側と動作可能に連結した少なくとも１の排気口熱交換器を提供する工程を有し、
前記少なくとも１の吸気口熱交換器は、前記少なくとも１のタービンの前記吸気口側に供給される吸気からの熱を除去しかつその熱を作業流体を通して底ループに伝導するように設けられ、
前記少なくとも１の排気口熱交換器は、前記少なくとも１のタービンによって生み出された排気からの熱を除去しかつそのような熱を作業流体を通して前記底ループに伝導するように設けられ、前記底ループは、前記少なくとも１の吸気口熱交換器および前記少なくとも１の排気口熱交換器からの熱を伝導して適当に調整された作業流体を前記少なくとも１の吸気口熱交換器および前記少なくとも１の排気口熱交換器の両方に戻すとともに、
前記作業流体はアンモニア、二酸化炭素、またはそれらの組合せを有するタービンの吸気温度調整方法。
【請求項１４】
前記作業流体は二酸化炭素を有する請求項１３に記載の方法。
【請求項１５】
前記作業流体は超臨界二酸化炭素を有する請求項１４に記載の方法。
【請求項１６】
前記作業流体はアンモニアを有する請求項１３に記載の方法。
【請求項１７】
前記作業流体は超臨界アンモニアを有する請求項１６に記載の方法。
【請求項１８】
前記少なくとも１の吸気口熱交換器はマイクロチャネル・テクノロジーを利用する請求項１３に記載の方法。
【請求項１９】
前記少なくとも１の吸気口熱交換器は、１または２以上のプリント配線回路熱交換器コアを使用する請求項１３に記載の方法。
【請求項２０】
前記少なくとも１の排気口熱交換器は、マイクロチャネル・テクノロジーを利用する請求項１３に記載の方法。
【請求項２１】
前記少なくとも１の排気口熱交換器は、１または２以上のプリント配線回路熱交換器コアを使用する請求項１３に記載の方法。
【請求項２２】
前記底ループは前記少なくとも１の吸気口熱交換器と連結した前記少なくとも１のタービンの前記排気口側にある排熱を利用して前記少なくとも１のタービンの前記吸気口側に供給される吸気の前記温度の下降をもたらす請求項１３に記載の方法。
【請求項２３】
前記底ループは、
前記少なくとも１の排気口熱交換器からの帯熱作業流体を受けるように設けられた少なくとも１の第１の底ループ熱交換器と、
前記少なくとも１の第１の底ループ熱交換器に前記作業流体を通して動作可能に連結した少なくとも１の底ループ・コンプレッサとを有し、
前記少なくとも１の底ループ・コンプレッサは冷却された作業流体を生み出すように前記帯熱作業流体を使用し、またはそこからの熱を採取するように設けられ、
前記冷却された作業流体は前記少なくとも１の吸気口熱交換器に供給されて前記少なくとも１のタービンの前記吸気口側に供給された吸気の前記温度の下降に用いる請求項１３に記載の方法。
【請求項２４】
前記底ループは、伝導された熱を、吸気を調整しかつ余剰の動力またはエネルギーを生み出すように利用するように設けられた熱機関を有する請求項１３に記載の方法。
【請求項２５】
少なくとも１の熱源と、
前記少なくとも１の熱源と動作可能に連結しかつ前記少なくとも１の熱源からの排熱を除去しおよび／または利用してその熱を作業流体に伝導して帯熱作業流体を生み出すように設けられた少なくとも１の第１の熱交換器と、
前記作業流体を通して前記少なくとも１の第１の熱交換器に動作可能に連結した少なくとも１のコンプレッサと、
前記少なくとも１のコンプレッサと動作可能に連結した少なくとも１の第２の熱交換器とを有し、
前記少なくとも１のコンプレッサは、前記少なくとも１の第１の熱交換器によって生み出された前記帯熱作業流体を受けて、冷却された作業流体を生み出すように前記帯熱作業流体を利用し、またはそこからの熱を採取するように設けられ、前記少なくとも１の第２の熱交換器は、前記冷却された作業流体を受けて、前記冷却された作業流体を利用して空気から熱を除去しまたは空気の温度調整を行なうように設けられている空気温度調整システム。
【請求項２６】
前記作業流体はアンモニア、二酸化炭素、またはこれらの組合せから選択された請求項２５に記載のシステム。
【請求項２７】
前記作業流体は二酸化炭素を有する請求項２６に記載のシステム。
【請求項２８】
前記作業流体は超臨界二酸化炭素を有する請求項２７に記載のシステム。
【請求項２９】
前記作業流体はアンモニアを有する請求項２６に記載のシステム。
【請求項３０】
前記作業流体は超臨界アンモニアを有する請求項２９に記載のシステム。
【請求項３１】
前記少なくとも１の第１の熱交換器はマイクロチャネル・テクノロジーを利用する請求項２５に記載のシステム。
【請求項３２】
前記少なくとも１の第１の熱交換器は、１または２以上のプリント配線回路熱交換器コアを利用する請求項２５に記載のシステム。
【請求項３３】
前記少なくとも１の第２の熱交換器は、マイクロチャネル・テクノロジーを利用する請求項２５に記載のシステム。
【請求項３４】
前記少なくとも１の第２の熱交換器は１または２以上のプリント配線回路熱交換器コアを使用する請求項２５に記載のシステム。
【請求項３５】
前記少なくとも１の熱源が少なくとも１のガスタービン、少なくとも１のガスタービン機関、少なくとも１の内燃機関、またはこれらの任意の２以上の組合わせから選択された請求項２５に記載のシステム。
【発明の詳細な説明】
【関連出願への相互参照】
【０００１】
本出願は、2009年6月22日に提出された、発明の名称「ガスタービン機関での熱流出物を処理するシステムおよび方法」をもつ米国仮特許出願第61/219,1956号への優先権を主張し、これをもってその出願の全体は参照によってここに含まれる。
【技術分野】
【０００２】
本発明は、概して次の両方を可能にするシステムに関する。
(i) ガスタービン、ガスタービン機関、工業プロセス装置および／または内燃機関内での種々の熱処理流出物（例えば、吸気冷却）を処理し、かつ、
(ii) 超臨界流体に基づく熱機関を生み出すこと。
ある実施の形態では、本発明は、アンモニア、二酸化炭素、窒素、または他の適切な作業流動性媒体の中から選択した少なくとも１の作業流体を使用する。別の実施の形態では、本発明は作業流体として二酸化炭素またはアンモニアを使用して、ガスタービン、内燃機関または他の工業的応用での吸気冷却流出物を処理することを可能にするシステムを達成する一方、前記ガスタービンおよび／または内燃機関からの排熱を利用して結合動力サイクルを生じさせる第２のサイクルとして超臨界流体に基づく熱機関を生み出すことで結合動力サイクルを生じさせる。
【背景技術】
【０００３】
種々の熱処理流出物（例えば、吸気冷却、排熱回収）をガスタービン、ガスタービン機関、内燃機関および他の工業プロセスにおいて処理する種々の方法が示唆されている。
そのような方法は、ニューメキシコ大学との共同による米国のエネルギー庁による「新しい動力サイクルおよび先進的流下膜式熱交換器の実験的および理論的研究」という題の報告書内で議論された方法を含む。
【０００４】
この報告書には、２つの新しい熱力学的サイクルが提案され、熱力学第２法則に基づいて研究されている。２つのコンピュータプログラムが開発されて前記サイクル中での全ての構成要素の不可逆的配置に関する重要なシステム・パラメータの効果を見出した。すなわち、
（１）第１のサイクルは、高効率を生み出すことができる結合３重サイクル（ブレイトン／ランキン／ランキン）／（気体／蒸気／アンモニア）に基づくものであり、
（２）第２のサイクルは、高出力及び高効率を生み出すことができる吸気冷却を行なう組み合わされたコンプレッサとの結合サイクル（ブレイトン／ランキン）／（気体／アンモニア）である。前記提案されたサイクルおよび前記サイクルの第２法則の解析から得られた結果は、エネルギー・コンバージョン・マネジメント・エイ・エス・エム・イー会報（ＩＭＥＣ＆Ｅ  ２００１）で公表された。
【０００５】
上述したように、種々の装置（例えば、ガスタービン、ガスタービン機関、工業プロセス装置および／または内燃機関）に対する種々の熱処理流出物を取り扱うように設けられたシステムに対するこの分野での必要性がある。ある例では、ガスタービン、ガスタービン機関、内燃機関および／または他の工業プロセス装置での種々の熱処理流出物（例えば、吸気冷気）を取り扱うことができるシステムに対する必要性がある。
【発明の概要】
【０００６】
本発明は、概して、(i) ガスタービン、ガスタービン機関、工業プロセス装置、および／または内燃機関における種々の熱処理流出物（例えば、吸気冷却）を取り扱い、かつ (ii) 超臨界流体に基づく熱機関を生み出すことの両方を可能にするシステムに関する。ある実施の形態では、本発明は、アンモニア、二酸化炭素、窒素、または他の適切な作業流動性媒体から選択された少なくとも１の作業流体を使用する。別の実施の形態では、本発明は、作業流体として、二酸化炭素またはアンモニアを使用して、ガスタービン、内燃機関または他の工業的応用における吸気冷却流出物を取り扱うことを可能にするシステムを達成する一方、ガスタービン、および／または、内燃機関からの排熱を利用する第２のサイクルとしての超臨界流体に基づく熱機関を生じさせて、結合動力サイクルを生み出す。
【０００７】
ある実施の形態では、本発明は、ガスタービン、ガスタービン機関、内燃機関および／または他の工業プロセス（例えば、ガスまたは空気圧縮）での吸気冷却を達成する一方、前記ガスタービン、内燃機関および／または他の工業プロセスからの排熱を利用する第２のサイクルとして、超臨界流体に基づく熱機関を生み出してここに示されかつ記述されたような結合動力サイクルを生み出す、ことの両方について目論まれたシステムに関係する。
【０００８】
別の実施の形態では、本発明は、少なくとも、タービンへの吸気を温度調整するシステムに関し、そのシステムは、入口側および出口側を有する少なくとも１のタービンと、少なくとも1のタービンの入口側に動作可能に連結した少なくとも１の吸気口熱交換器と、前記少なくとも１のタービンの出口側に動作可能に連結した少なくとも１の排気口熱交換機と、を有し、前記少なくとも１の吸気口熱交換器は、前記少なくとも１のタービンの前記入口側に供給される吸気から熱を除去しその熱を作業流体を通して底ループに伝導するように設けられ、前記少なくとも１の排気口熱交換器は、前記少なくとも１のタービンによって生成された排気から熱を除去しその熱を作業流体を通して前記底ループに伝導するように設けられ、前記底ループは、前記少なくとも１の吸気口熱交換器と前記少なくとも１の排気口熱交換器からのそのような伝導された熱を利用して、前記少なくとも１の吸気口熱交換器と前記少なくとも１の排気口熱交換器の両方に戻る適切に調整された作業流体を供給するように設けられている。
【０００９】
さらに別の実施の形態にあっては、本発明は、タービンへの吸気温度調整のための方法に関し、前記方法は、入口側および出口側を有する少なくとも１のタービンを提供し、前記少なくとも１のタービンの前記入口側と動作可能に連結した少なくとも１の吸気口熱交換器を提供し、前記少なくとも１のタービンの前記出口側に動作可能に連結した少なくとも１の排気口熱交換器を提供するという工程を有する。前記少なくとも１の吸気口熱交換器は、前記少なくとも１のタービンの前記入口側に供給される吸気から熱を除去してその熱を作業流体を通して底ループに伝導するように設けられており、前記少なくとも１の排気口熱交換器は、前記少なくとも１のタービンによって生成された排気から熱を除去してそのような熱を作業流体を通して前記底ループに伝導するように設けられ、前記底ループは、前記少なくとも１の吸気口熱交換器および前記少なくとも１の排気口熱交換器からの熱を伝導して、前記少なくとも１の吸気口熱交換器及び前記少なくとも１の排気口熱交換器の両方に戻る適切に調整された作業流体を供給する。
【００１０】
さらに別の実施の形態では、本発明は、空気を温度調整するためのシステムに関し、少なくとも１の熱源と、前記少なくとも１の熱源に動作可能に連結し、前記熱源からの排熱を除去し、および／または利用して、その熱を作業流体に伝導するように設けられた少なくとも１の第１の熱交換器と、前記少なくとも１の第１の熱交換器への前記作業流体を通して動作可能に連結した少なくとも１のコンプレッサと、前記少なくとも１のコンプレッサに動作可能に連結された少なくとも１の第２の熱交換器と、を有し、前記少なくとも１のコンプレッサは、前記少なくとも１の第１の熱交換器によって生成された前記熱を帯びた作業流体を受けて、冷却された作業流体を生成するように前記熱を帯びた作業流体を利用しまたはそれから熱を引き出すように設けられており、前記少なくとも１の第２の熱交換器は、前記冷却された作業流体を受けかつ空気から熱を除去しまたはその温度を調整するように前記冷却された作業流体を使用するように設けられている。
【図面の簡単な説明】
【００１１】
【図１】図１は、本発明のある実施の形態に係るシステムの例示である。
【図２】図２は、本発明のある実施の形態に係る別のシステムの例示である。
【図３】図３は、本発明のある実施の形態に係る別のシステムの例示である。
【図４】図４は、本発明のある実施の形態に係る別のシステムの例示である。
【図５】図５は、本発明のある実施の形態に係る別のシステムの例示である。
【発明を実施するための形態】
【００１２】
本発明は概して次の両方を可能にするシステムに関する。
(i) ガスタービン、ガスタービン機関、工業プロセス装置および／または内燃機関内での種々の熱処理流出物（例えば、吸気冷却）を取り扱い、
(ii) 超臨界流体に基づく熱機関を生み出す。
ある実施の形態では、本発明は、アンモニア、二酸化炭素、窒素または他の適切な作業流動性媒体から選択された少なくとも１の作業流体を使用する。別の実施の形態では、本発明は、作業流体として二酸化炭素またはアンモニアを使用して、ガスタービン、内燃機関または他の工業的応用での入口冷却流出物を取り扱うことができるシステムを達成する一方、前記ガスタービンおよび／または内燃機関からの前記排熱を利用して第２のサイクルとして、超臨界流体に基づく熱機関をも生み出すことで結合動力サイクルを生じさせる。
【００１３】
ある実施の形態では、本発明の目的は、次の２つある。
(i) ガスタービンおよび／または内燃機関（ＩＣＥ）からの排熱を利用して第２のサイクルとして超臨界流体に基づく熱機関として作動することで結合動力サイクルを生み出すこと
(ii) ガスタービン／ＩＣＥ吸気冷却（概略図を添付）のための統合化された解決手段をもつこと
この実施の形態では、本発明は、より高い周辺条件に遭遇した場合に利用できる構成要素を動的気体圧縮で冷やすことで主に底サイクル熱機関であって、結合サイクルの全般的な出力を増加させるように設計されている。別の実施の形態では、前記超臨界流体に基づくサイクルが用いられて空気またはガス圧縮装置のために冷却する吸引量を提供して、この圧縮に対して要求される熱的仕事を削減する。このプロセスに対する前記入熱は、全体としてまたは部分的に、圧縮の前記排熱によって供給されることができるだろう。
【００１４】
ある実施の形態では、本発明は、ジェネラレル・エレクトリック社のＧＥ−１０ガスタービンとの関係で記述されるであろう。しかしながら、本発明は、それに限定されない。むしろ本発明は、任意の適当なタービン、ガスタービン、工業プロセス装置、および／または内燃機関に適用することができる。この場合、図１の前記実施の形態に対する予想された動作はジェネラル・エレクトリック社のＧＥ−１０ガスタービンの動作条件、および本発明のある実施の形態に係る組み込まれたシステムを使用することによって得られる利益を含む。例示目的で、周囲の温度が15℃（59°F）から45℃（113°F）にまで上昇すると典型的なガスタービン（例えば、ＧＥ−１０）の動力の28%までが失われる。同時に、住宅用及び商業用のエアコンからの増大する要求に起因して、暑い日の間では供給電力の費用が、実質上増大することになる。前記ガスタービンの性能の減少は、前記第２のサイクルの性能の減少にも導く。例えば、NH3に基づく第２のサイクルでの出力動力の5.0％の減少が、前述した温度の変動／相違に対して、前記見本のＧＥ１０に生ずる。
【００１５】
本発明がジェネラル・エレクトリック１０（ＧＥ−１０）のガスタービンに適用された前記実施の形態について、ここでの前記計算例はＧＥ−１０のガスタービンの15℃（59°F）および30℃（86°F）の周辺温度での動作を含む。前記ＧＥ−１０の動作仕様に関する前記ガスタービンの前記排ガス温度は、15℃（59°F）および30℃（86°F）の周辺温度で、各々489.5℃（914°F）および505℃（941°F）である。これらの2つの周辺条件での入口冷却がない場合の前記排ガスの質量流量は各々47 kg/s（373,086 lbs/hr）および42 kg/s（333,396 lbs/hr）である。前記組み込まれた入口冷却条件に対する前記排ガスの質量流量は、前記15℃（59°F）の状況に一致する。前記組み込まれた入口冷却条件に対する吸引空気（吸気）の量は、天然ガスでは規定された発熱率および9.570 kJ/kg（20,000 btu/lb）に基づいて必要な天然ガスの量を除去することによって前記組み込まれた吸気冷却条件に対する吸引空気量が決定される。前記組み込まれた解決手段に対し使用する取り入れる空気流量は、46.2 kg/s（366,966 lbs/hr）である。
【００１６】
15℃（59°F）での前記ＧＥ−１０からの前記排熱を利用するアンモニア駆動第２のサイクルの性能は、正味のエネルギーの3,310 kWをＧＥ−１０ガスタービンの出力11,250 kWに付け加えて、14,560 kWの結合サイクルの出力に等しいだろう。これは、単一のサイクルに対して動力で、29.4パーセントの増加に等しい。前記30℃（86°F）での周辺条件での入口冷却なしで、前記第２のサイクルにより届けられる動力量は、30℃（86°F）で、3,189 kWにまで減少する。前記ガスタービンの見積もり動力の10,000 kWへの減少と結合すると、前記結合サイクルからの前記全動力の出力は9.4％減少する。前記第２のサイクル出力動力における減少はガスタービン動力における減少の直接的な結果である。
【００１７】
前記組み込まれた冷却サイクルを付け加えると、前記ガスタービン動力は、もはや10,000 kWに減少せずに、周辺温度と無関係に一貫した15℃（59°F）の吸気温度のために、11,250 kWに留まる。加えて、前記単一のサイクルの発熱率は、30℃（86°F）で12,100 kJ/kW-hr（11,374 Btu/kW-hr）への増加に反して、11,500 kJ/kW-hr（10,900 Btu/kW-hr）のままである。前記第２のサイクル出力は、前記コンプレッサ用エネルギーの追加に起因して、3,123 kWに減少する。ガスタービン性能及び前記アンモニア第２のサイクル出力での前記増加は、14,374 kWの結合サイクルの出力に導き、それは30℃（86°F）の日で、前記基本的アンモニア結合サイクルに対して9.0パーセントの増加であり、前記同一の周辺温度での単一のサイクル性能での45.1パーセントの増加である。
【００１８】
アンモニア作業流体がＧＥ−１０とともに用いられる例では、動作条件でのいくつかの変更は、次のものを含み得る。すなわち、10.3−20.7 MPa（1500−3000 psia）の高圧側の典型的な圧力範囲、149℃−482℃（300−900°F）の高温側の典型的な温度範囲、低圧側の典型的な熱機関圧力範囲2.1−4.2 MPa（300−600 psia）、冷却圧力典型的な範囲は、0.1−0.69 MPa（14.7−100 psia）であり、50℃（12°F）と同程度に高い周辺温度である。この場合には、本発明は、ある１組の動作条件、または特定の作業流体に限定されない。むしろ、本発明は、いわゆる当業者によって認められるように、種々の条件、そしていくつかの異なる作業流体をもつ広い範囲において、作動するように設けることができる。そうであるので、本発明は、ここに含まれる開示を考慮して広く解釈されるべきである。
【００１９】
ある実施の形態では、本発明は、次のものを含有するが、それに限定されない種々の利点を生み出す。すなわち、(i) 超臨界流体の使用は、２相の流れを取り扱う流出物と同様に気化が含まれる前記温度ピンチポイントを除去し、(ii) 超臨界流体の使用は、単一の圧力蒸気による熱回収蒸気発生器に比べてより高い作業流体温度を可能にするように設ける排熱交換器を導くだろう。(iii) 超臨界二酸化炭素またはアンモニアの使用は、超加熱器の追加なしの前記タービン内での濃縮がないサイクルの動作を可能にする。
【００２０】
本発明は、また、前記周辺温度が変化するにしたがって、前記入口冷却器のための冷媒の可変量を生成する間に前記動力サイクルを通して、一貫した質量流を達成することを可能にする。ある実施の形態では、これは、前記動力サイクルの濃縮工程の後に前記冷媒を除去し、前記ポンプの前にそれを再導入することによって達成される。これの1つの利点は、常時運転するであろう動力サイクルは常時、圧力、質量流及び温度について同一の動作点に留まるであろうということである。動作のこの一貫性は、全ての構成要素が、最良に作動し従って前記サイクルの効率をその設計ポイントに維持することを可能にするだろう。冷媒の前記必要性は暑い日には増加するので、作業流体が、前記システムの低圧側から除去されるだろうが、前記動力サイクルに影響を与えることなく、前記ポンプより前に使用可能な形態で再導入されるだろう。
【００２１】
加えて、本発明は、前記動力発生サイクルの高圧部分の任意のポイントから作業流体の側流を採ることを可能にしかつそれを前記冷却サイクルのために排出器として使用することを可能にする。これは、コンプレッサモータの効率性に起因する減少した性能の回避とともに部品の低価格化を可能にする（前記排出器に伴う効率性の損失はまだあるだろう）。
【００２２】
加えて、別の実施の形態では、本発明は、アンモニアに基づくプロセスで生じるかもしれない窒素及び水素の成分が排出され、上記窒素および／または水素でもって1またはそれ以上の下記のものを実行することを可能にする。すなわち、(i) ハーバー工程を通してアンモニアを再生しかつ発生したアンモニアをシステムに戻す。(ii) 前記自由水素を集めて、燃焼および／または燃料セルのための供給原料として用いる。(iii) 水素及び窒素を分離して収集し、市場での消費材のために収集する。および／または (iv) 前記窒素を排出して前記水素を燃やす。上記項目(i)から(iv)は、当然例示であって、本発明の前記システムによって生じたそのような窒素および／または水素についての多くの他の潜在的な使用が存在するが、簡単のためにここでは挙げていない。
【００２３】
本発明は、また、前記ガスタービンの前記後端から前記入口まで排ガスをリサイクルすることができ、それによって、より濃縮したC02流を供給することによって、前記ガスタービンからC02の放出を捕獲し、かつ最高の火炎温度の下降によってNOXの放出を削減するという拡大した性能を達成する。このプロセスへの主な障害は、前記高温であって、その温度では前記リサイクルされた排ガスが、前記排ガス流の40パーセントまで、前記入口に再導入されるだろう。本発明の前記組み合わされた解決法であって、図１に例示されたものは、この問題点をいつかの方法で取り除く。第１には、前記排ガスは、前記動力発生サイクルに対する熱を除去する前記熱交換器からより低い温度に既に冷却されているだろう。第２には、冷媒での上昇が、前記入口に送られることができて、リサイクルされた排ガスによって導入された任意の温度上昇を相殺する。第３に、前記換熱器は効果において減少することができてより大きなエネルギーが前記排ガスから除去されることを可能にする。これは、より低い排ガス温度を可能にして、それによって性能に影響することなく、前記ガスタービンの前記入口に付加することができる。
【００２４】
本発明は、また、前記アンモニアに基づく熱機関に、現行のアンモニアに基づく選択的触媒反応還元剤（ＳＣＲ）を組み込むことを可能にしている。ＳＣＲ装置は、ガスタービンに使用されて、NOX放出を削減し、ＥＰＡ(米国環境保護局)基準を満たす。アンモニアの側流が、前記システムのどこからでも除去され、アンモニアを前記ポンプの前にある前記熱機関に戻すように組み立てたシステムにより前記排ガス流に注入されることができる。
【００２５】
図１は、本発明のある実施の形態に係るシステム１００を開示している。システム１００には、アンモニアが用いられてガスタービンおよび／または内燃機関内の入口冷却流出物を処理することができるシステムを達成する一方、前記ガスタービンおよび／または内燃機関からの前記排熱を利用して結合動力サイクルを生み出す第２のサイクルとしての超臨界アンモニアに基づく熱機関をも生み出して結合動力サイクルを生み出す。図１に例示するように、システム１００は、タービン１０４に供給される空気の前記入口温度を低下させるように設けられた熱交換器１０２を含有する。タービン１０４は、任意の適当なタービンを含むことができるが、ガスタービンに限定されることはない。ある実施の形態では、タービン１０４は、コンプレッサ１０６、燃焼室１０８およびタービン１１０を有する。いわゆる当業者によって認められるように、本発明は、まさにガスタービン、または上述した配置をもつガスタービンに限定されない。むしろ、本発明は、広く解釈され、かつ、空気吸入式のエンジンの広い範囲、または、ガスまたは空気圧縮のような他の工業プロセスであって、そこでは、吸気の前記温度制御が望まれるものに適用される。ここで用いられるように、本発明の前記実施の形態と結合して用いられる任意のコンプレッサは、機械的コンプレッサまたは流体コンプレッサ（例えば、排出装置）から独立に選択されることができる。
【００２６】
熱交換器１０２に関しては、任意の適当な熱交換器が用いられ、それは、各コアがマイクロチャネル・テクノロジーを用いる１または２以上のコアをそこに各々含有する１または２以上の熱交換器を含むがそれに限定されない。
【００２７】
ここで使用されるように、「マイクロチャネル・テクノロジー」は、１または２以上のマイクロチャネル、メゾチャネル、および／またはミニチャネルを含有する熱交換器を含有するが、それに限定されない。ここで使用されるように、前記語句、「マイクロチャネル」、「メゾチャネル」および／または「ミニチャネル」は、互換性のあるように使用されている。加えて、本発明の前記マイクロチャネル、メゾチャネル、および／またはミニチャネルは、任意のある特定のサイズ、幅、および／または長さに限定されない。任意の適当なサイズ、幅、および／または長さが、種々の因子に依存して使用される。さらに、前記マイクロチャネル、メゾチャネル、および／またはミニチャネルの任意の位置づけは、本発明の種々の実施の形態とともに用いることができる。
【００２８】
別の実施の形態にあっては、本発明に係る熱交換器は、１または２以上のプリント配線回路の熱交換器（ＰＣＨＥ）パネルを有する１または２以上のコアで形成されることができる。そのようなパネルは、この分野では周知であり、米国特許No.6,921,518、No.7,022,294、No.7,033,553に記述され、それらの全ては、参照によって、それらの全体が、プリント配線回路熱交換器（ＰＣＨＥ）パネルに関係するそれらの技術に対し、ここに含まれる。図１の前記システム内の蓄熱室としての使用のための他の適当な熱交換器が、米国公開特許出願No.2006/0254759に開示され、その開示は、ここに全体として含まれる。
【００２９】
さらに別の実施の形態には、いわゆる当業者に周知の種々の任意の種類の熱交換器がここで使用可能であって、そのような熱交換器は、それが含まれる前記システムの熱的要件を、取り扱いおよび／または満たす、前記能力を持つことが必要である。さらに別の実施の形態では、本発明は、先進的ガスタービン機関内での種々の熱処理流出物を取り扱うことができるシステムを提供することに関係するだけでなく、動力処理流出物を処理するように設けられているシステムを提供することに関係する。
【００３０】
タービン１０４に関して、そこからの排ガスが任意の適当な運搬手段によって別の熱交換器１１２に供給される。熱交換器１１２に関して、この熱交換器は、熱交換器１０２に関して上述されたものと同様の熱交換器の中から選択されることができる。加えて、図１に例示するように、吸気は熱交換器１０２によって冷却され任意の適当な運搬手段を通してタービン１０４に供給される。次に、タービン１０４の前記部品の一部も適当に、いわゆる当業者に知られているように、接続されている。適当な運搬手段に関して、そのような手段は、流路、パイプ、導管、通気管等を含んでいるが、これらに限定されず、それらは、ここに開示された前記タービンの応用で経験した前記種々の周辺状況に良く耐えるように設けられている。そのような設計の判断基準は、簡単のためにここでは議論されていないが、いわゆる当業者には周知である。
【００３１】
図１の実施の形態で見られるように、システム１００は、種々の熱交換器に伴う適当な作業流体、および適当な運搬手段を使用して熱交換器１０２に入る吸気から「熱」を引き出し、それによってタービン１０４へ冷却された吸気をもたらす。図１のシステム１００に関し、前記作業流体は、アンモニア、二酸化炭素（それは超臨界または他のもの）、窒素、不活性作業流体、または、それらの任意の２つ以上の組合せを含有するがそれに限定されない任意の適当な作業流体がありうる。ある実施例では、図１の前記システムはアンモニア作業流体を使用する。図１を読み取って理解することで認められるように、本発明の前記作業流体は、常時液体状態にあるわけではない。むしろ、いわゆる当業者には明らかであろうが、本発明の前記作業流体は、システム１００の前述した目的を達成するためには種々の相転移を受ける。
【００３２】
図１に示すことができるように、システム１００は、種々の追加の熱交換器（例えば、熱交換器１１４，１１６，１１８および１２０）、少なくとも１の追加のコンプレッサ（例えば、１２２）、少なくとも１の追加の膨張器（例えば、１２４）、適当な個数の弁（例えば、１２８）、静的混合器（例えば、１２６）、少なくとも１のポンプ（例えば、１３０）、および少なくとも１の膨張弁（例えば、１３２）を含有する。いわゆる当業者によって認められるであろうことであるが、図１に詳細に示された前記プロセス・パラメータは、当然例示的なものであり、決して本発明の範囲を制限することを意味するものではない。むしろ、本発明は、熱を、あるシステムのある地点または領域から「引き出す」こと、およびそれを他の地点または領域に「移動する」ことを希望する広い範囲の状況に広く適用することができるものである。
【００３３】
別の実施の形態では、静的混合器１２６を次のように変更することができる。前記混合器１２６は、低温液体が頂点に来て、高温蒸気が、追加された濃縮のために必要な追加の冷却をもって中間にある適当な地点から入りこむように設けることができるだろう。この濃縮は、熱交換器１１４，１１６によって完全にすることができるだろう。すべての濃縮された液体は、前記底部から除去されるだろう。
【００３４】
システム１００の前記２つの底ループ内にある前記追加の部品に関して、前記種々の追加の熱交換器が、上述した前記熱交換器の中から選択されることができる。前記少なくとも１の追加のコンプレッサ（例えば、１２２）、前記少なくとも１の追加の膨張器（例えば、１２４）、前記弁（例えば、１２６および１２８）、前記少なくとも１のポンプ（例えば、１３０）、および前記少なくとも１の膨張弁（例えば１３２）は、市場で入手可能なこれらの種類の知られた部品の広い範囲から選択され、または前記開示されたシステムのために特定の目的に設けられることができる。再び、図１の前記底ループの追加の部品が、上述したものの中から選択された適当な運搬手段によって接続される。この場合に選択された種類の部品は、作成されるべき前記システムの正確な設計仕様に依存するだろう。
【００３５】
システム１００の上記特定された部品の全てに対するそのようなある配置が図１に例示されている。図１では、システム１００が使用されて、吸気の前記温度が、周辺温度、例えば86°Fから59°Fにまで下降する。これは、熱交換器１０２および該熱交換器１０２に供給される作業流体を用いることで達成される。前記下降した温度の空気は、それから、吸気として、燃料（例えば、天然ガス、石炭または石油）を燃焼して排ガスおよび排熱を熱交換器１１２に供給するように設けられたタービン１０４に供給される。 
【００３６】
別の実施の形態では、システム１００の種々の部品が除去され得て、達成されるべき前記目的に依存する簡単化されたシステムを生み出す。代わりに、システム１００の種々の部品が、制御弁および排出器によって置き換えることができる。図３は、図１によるコンプレッサ１２２の代わりに、排出器３３４を示すシステム３００の例示である。前記排出器に対する駆動する流体は熱交換器３１８の前、熱交換器３１２の前、または膨張器３２４の前から引き出すことができる。制御弁が、流体を除去するための前記最適点で前記システムに追加されるだろう。
【００３７】
別の実施の形態では、部品がシステム１００に追加されることができて、前記熱機関内での前記アンモニア作業流体の熱的な循環の間に生じた任意の水素または窒素ガスを分離しかつ収集することができる。図４は、図１と同一の熱機関および入口冷却を用いるシステム４００の例示である。しかしながら、システム４００は、アンモニアを再生するハーバー法反応器を含有する。図４は、熱交換器４２０でのアンモニア濃縮工程の後まだ存在するガス状の窒素および水素を分離するフラッシュタンク４３４の追加を示す。ガス状の窒素および水素は、フラッシュタンク４３４内に分離されて、コンプレッサ４３６に供給されて、それらは反応圧力に圧縮される。圧縮された窒素および水素は、触媒反応器４３８に分配されて、前記生成物はガス状のアンモニアおよび過剰な窒素であり、水素は前記反応器の前端にリサイクルされる。熱は、触媒反応器４３８に分配される必要があり、これは外部源からまたは内部排熱から来ることがありうるだろう。このアンモニアは膨張弁４４０によって膨張されて熱機関の前記低圧側動作圧力になる。前記膨張した流体は、圧縮ガス弁４４２によって結合される。図４内の全ての他の構成要素は図１と一致する。さらに別の実施の形態では、システム４００が、CO2ブレイトン又はランキンの最初のサイクルを用いてガスタービンの排気からの前記直接的な熱交換を取り扱うように設けられている（図５）。
【００３８】
図２は、本発明の別の実施の形態に係るシステム２００の例示であり、そこでは、タービン２０４の出口ガスが、本発明に係る作業流体に基づくシステムを用いて冷却される。ある実施の形態では、前記作業流体は、二酸化炭素である。しかしながら、この実施の形態は、それに限定されない。むしろ、任意の適当な作業流体、または作業流体の組合せがこの実施の形態とともに使用されることができる。システム２００のタービン２０４は、コンプレッサ２０６、燃焼室２０８、およびタービン２１０からなっている。タービン２０４は、排ガスを熱交換器２１２に供給し、該排ガスはその時冷却されかつ更なる冷却のため熱交換器２５０に供給される。熱交換器２１２および２５０は、上述したものから選択された作業流体を使用する二重ループシステムと接続されて、タービン２０４によって生じた前記排ガスから熱を引き出す。ここで使用されたように、「タービン」はガスタービン、ガスタービン機関、内燃機関または排ガスを生成して空気を取り入れる工業プロセス装置の任意の他のものを意味することを意図している。
【００３９】
図２に示すように、システム２００は少なくとも１の追加の熱交換器（例えば、２５６，２５８）、少なくとも１の追加のコンプレッサ（例えば、２５２）、少なくとも１の追加の膨張器（例えば、２５４）、種々の弁（例えば、２６０および２６２）、および少なくとも１のポンプ（例えば、２６０）を含有している。再び、図２の底ループの前記追加の部品は、上述したものから選択された適当な運搬手段を通して接続される。この場合に選択された部品の種類は、作成されるべき前記システムの正確な設計仕様に依存するだろう。
【００４０】
いわゆる当業者によって承認されるように、図２に列挙された前記プロセス・パラメータは、当然例示的なものであって、決して、本発明の範囲を制限することを意味しない。むしろ、本発明は、システムのある地点、または領域からの熱を「引き出し」、それを他の地点または領域に「移動させる」ように望まれる広い範囲の状況に広く適用可能である。
【００４１】
図５は、本発明のさらに別の実施の形態の例示であって、そこでは、本発明は、少なくとも２つの異なるループを含有し、各ループはそれ独自の作業流体を使用する。ある例では、各ループは、同一または異なる作業流体を使用することができる。適当な作業流体が、上述したものから選択される。別の実施の形態では、異なる作業流体が、各ループで使用される。ある例では、１のループはCO2を、作業流体として使用し、他のループはアンモニア（NH3）を使用する。図５に示されるように、１のサイクルが二酸化炭素を作業流体として使用し、他のサイクルがアンモニアを作業流体として使用する二重サイクルシステムを用いて、ガスタービンの吸気が冷却される。この実施の形態では、前記２つのサイクルは１の熱交換器を通して相互に連結している。
【００４２】
図５の前記システム５００は、ガスタービン５０４の前記入口端に位置する熱交換器５０２を有し、その熱交換器５０２は上述したような種類または設計であり、作業流体を使用して、入口ガス（例えば、空気）の前記温度を、前記入口ガスのガスタービン５０４への取り入れ前に調整することができる。ガスタービン５０４は排熱を、上述したような種類または設計の排熱交換器５０６に供給する。排熱交換器５０６は、タービン５０８およびポンプ５１０と動作可能に連結している。図５に示すように、ポンプ５１０は、また、動作可能にコンデンサー５１２と連結している。タービン５０８、コンデンサー５１２、および第２のタービン５１４は、図５に例示するように全て動作可能に熱交換器５１６と連結している。タービン５１４は、動作可能に第２のコンデンサー５１８と連結している。コンデンサー５１８も、図５に示されるように、また、動作可能にコンプレッサまたはポンプ５２０、膨張弁５２２および第２のポンプ５２４と連結している。コンプレッサまたはポンプ５２０および膨張弁５２２もまた両方とも動作可能に、図５に例示された態様で、熱交換器５０２に連結している。最後に、図５の実施の形態において、第２のポンプ５２４は動作可能に、図５に例示された態様で、熱交換器５１６に連結している。
【００４３】
図１乃至図５に関して、これらの図は、本発明の実施の形態であって、任意の工業または燃焼プロセスからの排熱の前記利用と同時に結びついた、空気またはガスの入口冷却を達成するように設けられている。この場合、図１乃至図５は、単に本発明の実施の形態例を例示するものであり、したがって、これらの実施の形態の変更は、本発明の範囲内にあって、いわゆる当業者にとって明らかであろう。
【００４４】
本発明の前記システムから利益を受ける工業または燃焼プロセスは、任意の工業または燃焼プロセスを含有し、そのようなプロセスは、ガス（例えば、空気）が、その密度を増大させおよび／またはその温度を下降させるように調整される場合に、より効率的となる。ある実施の形態では、そのようなプロセスは、ガスタービン、内燃機関、エアコンプレッサ、ガスコンプレッサまたは任意のそれらの組合せによって実行されるこれらのプロセスを含有するが、それらに限定されない。ある実施の形態では、本発明は、取り入れるガスの入口温度が上昇する場合に性能の劣化を被る装置の動作効率性の増大を可能にするように入口ガスの温度調整を可能とする点で有益である。
【００４５】
さらに別の実施の形態では、本発明は、ガス（例えば、工業プロセスに対する入口ガスまたは吸気）の温度調整を達成するように設けられたサブシステムと、前記温度調整を達成するように、幾つかの実施の形態では、前記排熱サブシステムが任意の希望する目的のために利用することができる追加の利用可能なエネルギーまたは動力を生み出すことを可能にするように設けられた前記サブシステムを駆動する排熱を利用するように設けられたサブシステムとの結合を有する。したがって、この実施の形態では、本発明の前記排熱サブシステムはしばしば、ここで定義されたように、上述した目的を達成するように作業流体を使用する底ループ、回路またはサイクルとして言及される。したがって、ある例では、本発明は、ガス（例えば、工業プロセスに対する入口ガスまたは吸気）の温度調整を達成するように設けられたサブシステムと、上述した温度調整サブシステムを駆動し、かつ前記排熱サブシステムが、任意に希望する目的のために利用することができる追加の利用可能エネルギーまたは動力を生み出すことを可能にするために排熱を利用するように設けられたサブシステムとの統合を達成する。ある実施例では、この実施の形態は、底ループ（図１乃至図５の底部に示されるような）によって達成され、底ループは、前記底ループに供給される排熱を利用して、上述した温度調整、および前記システムの外へ移送されかつ任意の希望する目的のために利用可能な追加の動力またはエネルギーを生み出し、または生産することができる熱機関としての動作を、駆動しかつ達成するように使用する。
【００４６】
図１乃至図５のいくつかまたは全てに開示された前記温度および／または圧力に関し、これらの温度および圧力は、当然例示的である。いわゆる当業者には明らかなように、本発明が適用される前記装置および／または条件に依存して、そのような温度または圧力は、変更してもよく、変更可能でありまたは変更するだろう。加えて、ある例では、本発明に係る前記システムは、横断臨界的、または超臨界的だろう。そうであるので、いわゆる当業者には知られているように、本発明の開示を読み取りかつ理解することで、本発明の前記システムのある部分は、臨界未満であるが、他の部分は超臨界的であるだろう。事実、発明に係るシステムの１の形態は、前記作業流体は、超臨界流体、臨界未満流体および／または前記発明システム内での異なる位置での臨界未満蒸気である。
【００４７】
前記発明は、ここに詳述されたある形態についての特定の言及により詳細に記述されているけれども、他の形態が同一の結果を達成することができる。本発明の変更および修正は、いわゆる当業者にとって自明であるだろうし、本発明は、添付された請求の範囲内で全てのこのような修正および等価物をカバーすることを意図している。
【図１】
0005681711.tif 000002
【図２】
0005681711.tif 000003
【図３】
0005681711.tif 000004
【図４】
0005681711.tif 000005
【図５】
0005681711.tif 000006